(57)【要約】      （修正有）【課題】トルソーとしても使用可能な抱き枕を提供する。【解決手段】抱き枕１は、人間の胴体部、頸部、及び一対の上腕部を模した形状を有し、伸縮性を有する布地で形成された袋体２と、前記袋体に充填された粒状の充填物６と、を備え、前記胴体部に対応する前記袋体の本体部３が底面３３を有し、前記底面を接地することにより自立することが可能である。【選択図】図１
2020039379.tif 000002
【特許請求の範囲】
【請求項１】
人間の胴体部、頸部、及び一対の上腕部を模した形状を有し、伸縮性を有する布地で形成された袋体と、
前記袋体に充填された粒状の充填物と、
を備え、
前記胴体部に対応する前記袋体の本体部が底面を有し、
前記底面を接地することにより自立することが可能な、
抱き枕。
【請求項２】
前記袋体に前記充填物を封入するための封入口が、前記底面に設けられる、
請求項１に記載の抱き枕。
【請求項３】
伸縮性を有する布地で形成され、前記抱き枕に着衣させたときに前記抱き枕に締め付け力を付与する上衣をさらに備える、
請求項１または２に記載の抱き枕。
【請求項４】
前記上衣の前記袋体の本体部が挿入される部分の周囲の長さは、前記袋体の本体部の前記上衣に挿入される部分の周囲の長さよりも小さい、
請求項３に記載の抱き枕。
【請求項５】
前記上衣の伸縮性は、前記袋体の伸縮性よりも低い、
請求項３または４に記載の抱き枕。
【発明の詳細な説明】
【技術分野】
【０００１】
本発明は、トルソーとしても使用可能な抱き枕に関する。
【背景技術】
【０００２】
就寝時に使用者が抱きかかえるようにして使用する抱き枕が従来知られている。例えば特許文献１には、弾力性を有する枕本体と、その枕本体内に配設され、折曲した際に形状を保持することができる形状保持体とを備える抱き枕が開示されている。この抱き枕の場合、枕本体を任意の形状に調節することができるため、使用者の横臥時の姿勢に応じて変形させることができ、優れた使用感を得ることができる。
【先行技術文献】
【特許文献】
【０００３】
【特許文献１】特開２０１６−３０１５６号公報
【発明の概要】
【発明が解決しようとする課題】
【０００４】
ところで、抱き枕の場合、上記のとおり使用者が抱きかかえて使用することを前提としているため、頭用の枕よりもサイズが大きいのが通常であり、保管場所を確保することが困難な場合がある。そのため、使用者が抱きかかえて使用する以外の用途が抱き枕にあると便宜である。
【０００５】
本発明は、上記課題に鑑みてなされたものであり、その主な目的は、トルソーとしても使用可能な抱き枕を提供することにある。
【課題を解決するための手段】
【０００６】
上記課題を解決するため、本発明の一の態様の抱き枕は、人間の胴体部、頸部、及び一対の上腕部を模した形状を有し、伸縮性を有する布地で形成された袋体と、前記袋体に充填された粒状の充填物と、を備え、前記胴体部に対応する前記袋体の本体部が底面を有し、前記底面を接地することにより自立することが可能である。
【０００７】
上記態様において、前記袋体に前記充填物を封入するための封入口が、前記底面に設けられてもよい。
【０００８】
上記態様において、伸縮性を有する布地で形成され、前記抱き枕に着衣させたときに前記抱き枕に締め付け力を付与する上衣をさらに備えてもよい。
【０００９】
この態様において、前記上衣の前記袋体の本体部が挿入される部分の周囲の長さは、前記袋体の本体部の前記上衣に挿入される部分の周囲の長さよりも小さくてもよい。
【００１０】
この態様において、前記上衣の伸縮性は、前記袋体の伸縮性よりも低くてもよい。
【発明の効果】
【００１１】
本発明によれば、トルソーとしても使用可能な抱き枕を実現することができる。
【図面の簡単な説明】
【００１２】
【図１】実施形態に係る抱き枕の正面図である。
【図２】上記抱き枕の背面図である。
【図３】上記抱き枕の左側面図である。
【図４】上記抱き枕の右側面図である。
【図５】上記抱き枕の平面図である。
【図６】上記抱き枕の底面図である。
【図７】上記抱き枕の使用状態例を示す斜視図である。
【図８】上記抱き枕の使用状態例を示す斜視図である。
【図９】上記抱き枕の使用状態例を示す斜視図である。
【発明を実施するための形態】
【００１３】
以下、本発明の実施形態について、図面を参照しながら説明する。
【００１４】
図１ないし図６は、実施形態に係る抱き枕１の正面図、背面図、左側面図、右側面図、平面図、及び底面図である。抱き枕１は、人間の胴体部、頸部、及び一対の上腕部を模した形状を有しており、トルソーとしても使用可能である。
【００１５】
図中の矢印は、各方向を示している。抱き枕１をトルソーとして見たときの、胴体部に対する頸部の方向を「上方向」、その逆方向を「下方向」、胴体部に対する各上腕部の方向を「左方向」及び「右方向」、これらの方向と直交する方向を「前方向」及び「後方向」とする。
【００１６】
抱き枕１は、人間の胴体部、頸部、及び一対の上腕部を模した形状を有する袋体２と、袋体２に充填された粒状の充填物６とを備えている。
【００１７】
袋体２は、上下方向に延びる筒状の本体部３と、本体部３の上部から左右各方向に突出した一対の突出部４ａ，４ｂと、本体部３の上部から上方向に突出した突出部５とを備えている。左突出部４ａは本体部３の上部から左下方向に突出しており、右突出部４ｂは本体部３の上部から右下方向に突出している。突出部５は、上方向に向かうほど徐々に細くなっている。袋体２は、左右対称かつ前後対称に形成されている。
【００１８】
袋体２の本体部３は胴体部に対応し、左突出部４ａは左上腕部に対応し、右突出部４ｂは右上腕部に対応し、突出部５は頸部に対応している。なお、袋体２は、脚部に対応する部分を含まない。また、袋体２は、上腕部に対応する突出部４ａ，４ｂを含むが、上腕部よりも先の前腕部及び手に対応する部分は含まない。また、袋体２は、頸部に対応する突出部５を含むが、頸部よりも先の頭部に対応する部分は含まない。
【００１９】
本明細書においては、人間の胴体部、頸部、及び一対の上腕部を模した形状を有するものを「トルソー」と呼ぶが、一般にトルソーとは人間の頭部、両腕、及び両脚を除いた胴体部を指す場合があり、その場合においては、抱き枕１は「上腕付きトルソー」であるとも言える。
【００２０】
袋体２は、例えばポリウレタン弾性繊維等の伸縮性を有する布地で形成されている。袋体２は、複数の布地を縫合することによって形成される。例えば、袋体２の前半部に対応する布地と、袋体２の後半部に対応する布地とを縫合することによって、袋体２が形成される。また、本体部３の底面３３の平面性を向上させるために、底面３３の布地を別に設けてもよい。
【００２１】
充填物６は、袋体２に張力が生じつつ、袋体２が変形可能な程度に充填されている。充填物６は、同一の形状、大きさ、及び材料で形成された、例えば直径０．１〜１ｍｍ程度の球形の粒状物である。充填物６は、例えばポリエチレン又はポリスチレン等のプラスチックで形成される。これに限らず、充填物６は、そば殻であってもよいし、プラスチック製のパイプ状小片であってもよいし、粒状に加工されたポリエステル綿であってもよい。また、充填物６は、形状、大きさ、及び材料の少なくとも１つが互いに異なってもよい。
【００２２】
抱き枕１は、袋体２の本体部３の下端に平坦な底面３３を有している。底面３３は、前後方向よりも左右方向に広いオーバル形状（例えば楕円形状など）を有している。抱き枕１は、底面３３を接地することにより自立することが可能である。底面３３を接地したとき、抱き枕１の重心を下方に投影した重心投影点は、底面３３の内側（例えば中心）に含まれることが好ましい。
【００２３】
袋体２の本体部３の底面３３には、袋体２に充填物６を封入するための封入口３４が設けられている。封入口３４は、左右方向に延びている。具体的には、封入口３４は、縫合された２つの布地の縁の一部を利用して形成されている。封入口３４の周囲には、封入口３４を保護するためのファスナー等を設けてもよい。
【００２４】
以上に説明した抱き枕１は、人間の胴体部、頸部、及び一対の上腕部を模した形状を有し、底面３３を接地することにより自立することが可能であるので、トルソーとしても使用することが可能である。例えば、抱き枕１は、図７に示すように頸部に対応する突出部５に帽子Ｃを被せて使用してもよいし、図８及び図９に示すように上衣９（上半身に着る服、所謂トップス）を着衣させて使用してもよい。
【００２５】
また、底面３３に封入口３４を設けることで、抱き枕１をトルソーとして使用する際に封入口３４を目立たないようすることが可能である。また、抱き枕１に上衣９を着衣させる際に封入口３４が引っ掛からないようにすることも可能であるし、抱き枕１に上衣９を着衣させたまま封入口３４を通じて充填物６を出し入れすることも可能である。また、抱き枕１の形状が歪にならないようにすることも可能である。
【００２６】
図８及び図９に示すように、抱き枕１に上衣９を着衣させたとき、抱き枕１の本体部３は上衣９の本体部９３に挿入され、抱き枕１の左突出部４ａは上衣９の左袖部９４ａに挿入され、抱き枕１の右突出部４ｂは上衣９の右袖部９４ｂに挿入され、抱き枕１の突出部５は上衣９の襟部９５に挿入される。
【００２７】
上衣９は、例えば半袖又は袖無しの衣服である。図示の例では、上衣９はＴシャツであるが、これに限らず、例えばタンクトップ、キャミソール、ポロシャツ、ワイシャツ、又はブラウス等であってもよい。
【００２８】
上衣９は、伸縮性を有する布地で形成されており、抱き枕１に着衣させたときに抱き枕１に締め付け力を付与する。すなわち、上衣９は、引き延ばされた状態で抱き枕１に着衣させられ、収縮する力によって抱き枕１に引き締め力を付与する。上衣９は、抱き枕１の少なくとも一部に引き締め力を付与すればよい。
【００２９】
これにより、袋体２に充填された充填物６の移動が抑制されるので、抱き枕１の形状安定性を向上させることが可能となるとともに、自立させたときの抱き枕１の姿勢安定性を向上させることも可能となる。
【００３０】
さらには、抱き枕１の形状を自由に変化させて、その形状を維持させることが可能となる。例えば図９に示すように、腹部に対応する抱き枕１の本体部３の下半部を細くし、その形状を維持させることができる。これにより上衣９を着衣させたときのトルソーとしての抱き枕１の美観を向上させることが可能となる。
【００３１】
抱き枕１に上衣９を着衣させたときに、袋体２の布地と上衣９の布地とが二重に配置されることで、袋体２の布地のみの場合と比べて変形し難くなり、充填物６の移動を抑制することが可能となる。抱き枕１としての使用感を確保しつつ、上衣９を着衣させたときのトルソーとしての抱き枕１の形状安定性を確保するには、上衣９の伸縮性が袋体２の伸縮性よりも低いことが好ましい。
【００３２】
抱き枕１の本体部３に引き締め力を十分に付与するには、上衣９の本体部９３の周囲の長さ（胸囲又は腹囲に相当、引き延ばし前の長さ）は、抱き枕１の本体部３の周囲の長さ（膨張前の長さ）よりも小さいことが好ましい。また、上衣９の本体部９３の容積を、抱き枕１の本体部３の容積よりも小さくしてもよい。
【００３３】
以上、本発明の実施形態について説明したが、本発明は以上に説明した実施形態に限定されるものではなく、種々の変更が当業者にとって可能であることはもちろんである。
【産業上の利用可能性】
【００３４】
本発明の抱き枕は、トルソーとしても使用可能な抱き枕として有用である。
【符号の説明】
【００３５】
１  抱き枕
２  袋体
３  本体部
３３  底面
３４  封入口
４ａ  突出部
４ｂ  突出部
５  突出部
６  充填物
９  上衣
９３  本体部
９４ａ  袖部
９４ｂ  袖部
９５  襟部
【図１】
2020039379.tif 000003
【図２】
2020039379.tif 000004
【図３】
2020039379.tif 000005
【図４】
2020039379.tif 000006
【図５】
2020039379.tif 000007
【図６】
2020039379.tif 000008
【図７】
2020039379.tif 000009
【図８】
2020039379.tif 000010
【図９】
2020039379.tif 000011